(57)【特許請求の範囲】
【請求項１】
固体撮像素子と、前記固体撮像素子を第３の水平転送クロックにて駆動する駆動手段と、前記固体撮像素子の出力信号を映像信号の水平走査方向に縮小する水平縮小手段を有する撮像装置であって、前記固体撮像素子は、前記第３の水平転送クロックの周波数よりも高い周波数の第４の水平転送クロックにて駆動なさしめた時、映像信号の有効走査期間に画角の歪を生ずることなく信号送出できる固体撮像素子であることを特徴とする撮像装置。
【請求項２】
固体撮像素子と、前記固体撮像素子を第１の水平転送クロックにて駆動する駆動手段と、水平帰線期間内に局在するクランプパルスを発生する同期信号発生部と、前記固体撮像素子の出力信号を映像信号の水平走査方向に拡大する水平拡大手段とを有し、かつ、前記固体撮像素子は、前記第１の水平転送クロックの周波数よりも低い周波数の第２の水平転送クロックにて駆動なさしめた時、映像信号の有効走査期間に画角の歪を生ずることなく信号送出できる固体撮像素子を用いた撮像装置に用いる固体撮像素子駆動方法であって、前記第１の水平転送を行ったとき、前記クランプパルスの位相に前記固体撮像素子のオプチカルブラック部の信号の位相を合致させるように、映像信号の水平走査有効期間の開始タイミングから遅延させたタイミングで水平転送クロックを開始させることを特徴とする固体撮像素子駆動方法。
【請求項３】
固体撮像素子と、前記固体撮像素子を第１の水平転送クロックにて駆動する駆動手段と、前記固体撮像素子の出力信号を映像信号の水平走査方向に拡大する水平拡大手段とを有し、かつ、前記固体撮像素子は、前記第１の水平転送クロックの周波数よりも低い周波数の第２の水平転送クロックにて駆動なさしめた時、映像信号の有効走査期間に画角の歪を生ずることなく信号送出できる固体撮像素子を用いた撮像装置に用いる固体撮像素子駆動方法であって、前記第１の水平転送クロックは、水平走査有効期間の開始タイミングにて開始し、かつ前記固体撮像素子の水平転送画素のうちの水平有効画素の電荷を送出せしめるクロック数にて終了し、再度水平帰線期間の開始タイミングにて開始し、かつ前記固体撮像素子の水平転送画素から水平有効画素を除いた残りの画素を送出せしめるクロック数にて終了することを特徴とする固体撮像素子駆動方法。
【発明の詳細な説明】
【０００１】
【産業上の利用分野】
本発明は、撮像装置、及びそれに用いる固体撮像素子駆動方法に関するものである。
【０００２】
【従来の技術】
デジタルＶＴＲの技術開発の進展に伴い、最近では民生用デジタルビデオフォーマットであるＤＶＣフォーマットに準拠したカメラ一体型ビデオの開発が撮像装置として非常に注目されている。また、一般にカメラ一体型ビデオのカメラ部は小型化のためにＣＣＤ撮像素子が使用されている。
【０００３】
以下に図９〜図１１を用い、このようなＤＶＣフォーマット対応カメラ一体型ビデオ（以下ＤＶＣムービーと略す）の一例を述べる。図９は、従来のＤＶＣムービーの概略を示す構成図である。図９において、１１０はカメラ部であって、レンズ１１１、絞り１１２を通過した光はＣＣＤ撮像素子（以下、ＣＣＤと略す）１１３で後述するように光電変換される。１１４はアナログ信号処理部、１１５は第１のＡＤ変換部、１１６はデジタル信号処理部、１１７は第１のＤＡ変換部であって、ＣＣＤ１１３の出力信号はこれらによって各処理がなされる。１１８は同期信号発生部であり、カメラクロック発生部１２０からの出力を受け、ＣＣＤ駆動信号発生部１１９に水平同期信号１２１，ＣＣＤ駆動信号発生クロック１２２を、アナログ信号処理部１１４にクランプパルス１２４を、第１のＡＤ変換部１１５，デジタル信号処理部１１６，第１のＤＡ変換部１１７にカメラ部デジタル信号処理系駆動クロック１２５を各々出力する。１２３はＣＣＤ駆動信号で、ＣＣＤ駆動信号発生部１１９がＣＣＤ１１３に出力する。１３０はビデオ部であって、第１のＤＡ変換部１１７の出力は第２のＡＤ変換部１３１、ＤＶＣ記録信号処理部１３２、記録ヘッド１３３を介して、記録テープ１３４に記録される。１３５は再生ヘッドを示し、記録テープ１３４に記録されている信号を検出し、ＤＶＣ再生信号処理部１３６、第２のＤＡ変換部１３７、ビデオ信号出力部１３８を介して再生出力される。１４０はビデオ部デジタル信号処理系駆動クロック発生部であって、ビデオクロック発生部１３９の出力を基準としてビデオ部デジタル信号処理系駆動クロック１４１を第２のＡＤ変換部１３１，ＤＶＣ記録信号処理部１３２，ＤＶＣ再生信号処理部１３６に出力する。
【０００４】
図９を用いて従来のＤＶＣムービーの信号の流れについて説明を行う。
図９において、まずカメラ部１１０では、被写体情報を持つ入射光をレンズ１１１で集光し、絞り１１２で光量を制限してＣＣＤ１１３に入射する。ＣＣＤ１１３では光学信号を電気信号に変換、アナログ信号処理部１１４にて適切な形に処理した後、ＡＤ変換部１１５にてデジタル信号に変換、デジタル信号処理部１１６にてカメラ信号として適切な形に処理を施して第１のＤＡ変換部１１７にてアナログ信号に復元する。なおこれら一連の処理は、カメラクロック発生部１２０にて発生させたクロックを基に同期信号発生部１１８で作成した水平同期信号１２１、ＣＣＤ駆動信号発生クロック１２２にてＣＣＤ駆動信号発生部１１９を駆動し、ＣＣＤ駆動信号１２３にてＣＣＤ１１３を駆動して映像信号を出力、アナログ信号処理部１１４に対しては同様の方法にて同期信号発生部１１８が発生するクランプパルス１２４にて映像信号をクランプし、またカメラ部デジタル信号処理系駆動クロック１２５にて第１のＡＤ変換部１１５、デジタル信号処理部１１６、第１のＤＡ変換部１１７を駆動することで行われる。
【０００５】
次にビデオ部１３０ではカメラ部１１０から出力する信号をまず第２のＡＤ変換部１３１にてデジタル信号に変換し、ＤＶＣ記録信号処理部１３２にて記録フォーマットとして適切な形に変換して記録ヘッド１３３にて記録テープ１３４に記録する。再生時は、記録テープ１３４に記録されている信号を再生ヘッド１３５にて読み取り、ＤＶＣ再生信号処理部１３６にてビデオ信号としてふさわしい形に変換して、第２のＤＡ変換部１３７にてアナログ信号に復元、ビデオ信号出力部１３８から出力する。なお、これら一連の動作は、ビデオクロック発生部１３９にて発生させたクロックを基にビデオ部デジタル信号処理系駆動クロック発生部１４０から発生させたビデオ部デジタル信号処理系駆動クロック１４１にて駆動することで行われる。ＤＶＣフォーマットでは記録テープ１３４に記録するデジタル信号の周波数が１３．５ＭＨｚに統一されているので、基本的にビデオ部デジタル信号処理系駆動クロック１４１の周波数は１３．５ＭＨｚとなる。
【０００６】
次に図１０を用いて、ＣＣＤ１１３の構成、動作の概略について述べる。衆知のように、ＣＣＤに集められる被写体情報である光学信号を光電変換部１５０にて信号電荷に変換、垂直転送段１５１にて水平転送段１５２方向に転送する。水平転送段１５２では垂直転送段１５１から信号電荷が送られてくる度に出力アンプ１５４方向に送出し、出力信号としてふさわしい形に変換して出力端１５５から被写体情報を持つ電気信号として出力する。なお１５３はオプチカルブラック部（以下ＯＢ部と略す）であって、光学的に不感帯の場所で、映像信号の黒レベルを決定する重要な役割を持っており、次に述べるクランプを行なう基準として扱われる。
【０００７】
次に図１１を用いてＯＢ部の取扱いについて述べる。図１１において１６０は水平同期信号、１６１は水平帰線期間信号であり、１６２は実画面上に画像の現れない水平帰線期間、１６３は画像の現れる水平有効走査期間である。また、１６４はＣＣＤの水平転送部駆動信号、１６５は出力信号、１６６は出力信号のうちの有効領域の信号、１６７はＯＢ部の信号、１６８はクランプパルスである。水平同期信号１６０に同期してＣＣＤの水平画素の信号電荷を読み出すための水平転送部駆動信号１６４によって出力信号１６５が出力する。出力信号のうち実際の映像情報を持っているのは有効領域の信号１６６であり、その信号の出力後ＯＢ部の信号１６７が出力する。クランプパルス１６８はＯＢ部の信号１６７と位相を同じくして立ち上がり、ＯＢ部の電位（即ち黒レベル）を信号処理系の基準ＤＣレベルにクランプして後の処理の基準とする。
【０００８】
【発明が解決しようとする課題】
ＤＶＣ等のデジタルフォーマットの記録機器は一般に記録のための周波数がフォーマットにより規定されており、そのため信号処理系の周波数も一義的に決定されている。一方、カメラ部の駆動周波数はＣＣＤの画素数により決定されるのでこれら相異なる動作周波数の信号のシステムを結合するためには、一度カメラ部の信号をＤＡ変換してアナログ信号に復元し、再びビデオ系の駆動周波数にてＤＡ変換する必要があった。これを回避するためにはビデオ系の駆動周波数と同じ周波数にて有効画像を画角歪なく送出できるＣＣＤ（ＤＶＣフォーマットの記録周波数である１３．５ＭＨｚの場合、水平方向に約７１０画素程度を有するＣＣＤ）を選択する方法がある。しかしながら、これは画素数を一義的に決定してしまうために従来のアナログ記録のビデオカメラ等で使用してきた数多くの種類のＣＣＤを使用することができなくなり、ＣＣＤを新開発せねばならず、非常に高価になってしまう。またデジタル信号のままで周波数変換する方法もあるが、システムが複雑になり、回路規模も増大するという問題があった。
【０００９】
本発明は上記従来の問題点を解決するもので、従来のアナログ記録のビデオカメラ等で使用してきた数多くの種類のＣＣＤを使用し、画角歪を起こすことなくデジタル記録する撮像装置、及びそれに用いる固体撮像素子駆動方法を提供することを目的とする。
【００１０】
【課題を解決するための手段】
この目的を達成するために本発明は、固体撮像素子と、前記固体撮像素子を第３の水平転送クロックにて駆動する駆動手段と、前記固体撮像素子の出力信号を映像信号の水平走査方向に縮小する水平縮小手段を有する撮像装置であって、前記固体撮像素子は、前記第３の水平転送クロックの周波数よりも高い周波数の第４の水平転送クロックにて駆動なさしめた時、映像信号の有効走査期間に画角の歪を生ずることなく信号送出できる固体撮像素子であることを特徴とする撮像装置を提案する。
【００１１】
さらに、固体撮像素子と、前記固体撮像素子を第１の水平転送クロックにて駆動する駆動手段と、水平帰線期間内に局在するクランプパルスを発生する同期信号発生部と、前記固体撮像素子の出力信号を映像信号の水平走査方向に拡大する水平拡大手段とを有し、かつ、前記固体撮像素子は、前記第１の水平転送クロックの周波数よりも低い周波数の第２の水平転送クロックにて駆動なさしめた時、映像信号の有効走査期間に画角の歪を生ずることなく信号送出できる固体撮像素子を用いた撮像装置に用いる固体撮像素子駆動方法であって、前記第１の水平転送を行ったとき、前記クランプパルスの位相に前記固体撮像素子のオプチカルブラック部の信号の位相を合致させるように、映像信号の水平走査有効期間の開始タイミングから遅延させたタイミングで水平転送クロックを開始させる方法を提案する。
【００１２】
さらに、固体撮像素子と、前記固体撮像素子を第１の水平転送クロックにて駆動する駆動手段と、前記固体撮像素子の出力信号を映像信号の水平走査方向に拡大する水平拡大手段とを有し、かつ、前記固体撮像素子は、前記第１の水平転送クロックの周波数よりも低い周波数の第２の水平転送クロックにて駆動なさしめた時、映像信号の有効走査期間に画角の歪を生ずることなく信号送出できる固体撮像素子を用いた撮像装置に用いる固体撮像素子駆動方法であって、前記第１の水平転送クロックは、水平走査有効期間の開始タイミングにて開始し、かつ前記固体撮像素子の水平転送画素のうちの水平有効画素の電荷を送出せしめるクロック数にて終了し、再度水平帰線期間の開始タイミングにて開始し、かつ前記固体撮像素子の水平転送画素から水平有効画素を除いた残りの画素を送出せしめるクロック数にて終了することを特徴とする固体撮像素子駆動方法を提案する。
【００１６】
【作用】
上記手段により、ある固有の周波数以外の駆動信号では本来画角歪を起こしてしまうＣＣＤを別の周波数で駆動して取り扱うことができる。
【００１７】
【実施例】
以下図１〜図８を用いて、本発明の実施例である撮像装置としてのＤＶＣムービーを説明する。
【００１８】
図１は本発明を説明するための第１の実施例の構成図である。図１において従来例である図９と全く同じ構成、動作の箇所は同一番号を添付し、説明も省略する。
【００１９】
図１において、１０は本発明に用いるＣＣＤを示し、ＣＣＤ駆動信号発生部１１９が出力するＣＣＤ駆動信号１２に従って、光電変換した信号をアナログ信号処理部１１４に出力する。１１は水平拡大部を示し、第１のＡＤ変換部１１５が出力する映像信号を水平方向に拡大する。１３は従来の方式のクランプパルス、１４は本発明の駆動の場合必要な第２のクランプパルス、１５はスイッチで、従来の方式のクランプパルス１３と第２のクランプパルス１４の一方を選択する。１６はカメラ部駆動クロックであって、同期信号発生部１１８に入力されてカメラ部１１０の駆動の基準となる。なおカメラ部駆動クロック１６はビデオ部１３０のビデオ部クロック発生部１３９にて発生させておりビデオ系の駆動クロックの周波数と同じ周波数である。ＤＶＣフォーマットの場合、１３．５ＭＨｚがこれに相当する。またＣＣＤ１０は、本カメラ部駆動クロック１６よりも低い周波数にて画角歪を生じず画像を出力できるＣＣＤであり、従来の汎用ＣＣＤを例にとれば、Ｓ−ＶＨＳムービー対応の水平方向の画素数が約６７０画素等のＣＣＤがこれに当たる。このＣＣＤを用いて１３．５ＭＨｚで駆動した場合水平方向に縮小画角歪が発生する。
【００２０】
このように構成された本発明のＤＶＣムービーについて、その動作を説明する。従来例と同様にまずカメラ部１１０では、被写体情報を持つ入射光をレンズ１１１で集光し、絞り１１２で光量を制限してＣＣＤ１０に入射する。ＣＣＤ１０では光学信号を電気信号に変換、アナログ信号処理部１１４にて適切な形に処理した後、ＡＤ変換部１１５にてデジタル信号に変換、水平拡大部１１に入力する。水平拡大部１１は水平方向に画角を拡大するものである。
【００２１】
図２を用いて水平拡大部の処理方法についての概念を述べる。図２は画角を３／２倍に拡大する時の処理の説明図であり、２０は原信号のデーター列、２１は補間後のデーター列、２２は再サンプリング後のデーター列である。図２において、原信号２０に対してデーターの補間により見かけ上のデーター量を増加させ（２１）、それを同一クロックで再サンプリングすることによりデーターの拡張が可能になる（２２）。これを映像の水平走査に当てはめると、水平方向への画角の拡大が可能となる。水平拡大部１１を出力した信号をデジタル信号処理部１１６にてカメラ信号としてふさわしい形に処理してビデオ部１３０に送出する。なおこれら一連の処理は、ビデオクロック発生部１３９にて発生させたカメラ部駆動クロック１６を基に同期信号発生部１１８で作成した水平同期信号１２１、ＣＣＤ駆動信号発生クロック１２２にてＣＣＤ駆動信号発生部１１９を駆動し、ＣＣＤ駆動信号１２にてＣＣＤ１０を駆動して映像信号を出力、アナログ信号処理部１１４では同様の方法にて発生するクランプパルス１３、１４のうち本ＣＣＤ１０のＯＢ部の信号と位相のあっている方のクランプパルスをスイッチ１５で選択して映像信号をクランプし、またカメラ部デジタル信号処理系駆動クロック１２５にてＡＤ変換部１１５、デジタル信号処理部１１６を駆動する。
【００２２】
ビデオ部１３０での処理は、本発明の場合デジタル信号のまま入力しているのでＡＤ再変換をする必要がなく、ＡＤ変換部を削除した以外は図９で詳述した従来例と同じであるので説明を省略する。
【００２３】
引き続き図３〜６を用いて本発明の撮像装置に用いる駆動方法とその信号処理について述べる。
【００２４】
図３はその信号処理の第１の例を示す説明図である。図３において４０は水平同期信号、４１は水平帰線期間信号であり、４２は水平帰線期間、４３は水平有効走査期間である。４４はＣＣＤの水平転送部駆動信号、４５は出力信号、４６は出力信号のうちの有効領域の信号、４７はＯＢ部の信号、４８はクランプパルス、４９は水平拡大部により水平方向に拡大された信号である。水平同期信号４０に同期してＣＣＤの水平画素の信号電荷を読み出すための水平転送部駆動信号４４によって出力信号４５が出力する。ここで水平転送部駆動信号４４の開始タイミングは水平有効走査期間４３の終了時には、ＣＣＤ１０の水平走査有効領域の信号電荷（ＯＢ部の信号は含まない）をすべて送出せしめるタイミングで、水平転送クロックをスタートさせる。出力した信号４５は水平方向に縮小画角歪をおこしているが、信号を水平転送部駆動信号４４により水平有効期間の後縁に縮退させているためＯＢ部の信号の位相は図１１で示した従来例の位相と変わらず、従ってクランプパルス４８の位相も従来と同じままで信号をクランプできるのでスイッチ１５では従来のクランプパルス１３を選択すればよい。以上のようにして出力した信号を水平拡大部１１により水平拡大して画角歪のない信号４９を得る。
【００２５】
図４は信号処理の第２の例を示す説明図である。図４において５０は水平同期信号、５１は水平帰線期間信号であり、５２は水平帰線期間、５３は水平有効走査期間である。５４はＣＣＤの水平転送部駆動信号、５５は出力信号、５６は出力信号のうちの有効領域の信号、５７はＯＢ部の信号、５８はクランプパルス、５９は水平拡大部により水平方向に拡大された信号である。水平同期信号５０に同期してＣＣＤの水平画素の信号電荷を読み出すための水平転送部駆動信号５４によって出力信号５５が出力する。ここで水平転送部駆動信号５４の開始タイミングは水平有効走査期間５３の開始タイミング近傍からスタートし、ＣＣＤ１０の水平走査領域の信号電荷をすべて（ＯＢ部の信号も含む）出力するのに必要なクロック数にて終了する。出力した信号５５は水平方向に縮小画角歪をおこしており、かつ、ＯＢ部の信号５７の位相も図１１で示した従来例の位相と異なっている。従ってクランプパルス５８の位相も本駆動の場合には変化させなければならないので、スイッチ１５にて第２のクランプパルス１４に切り替え、本駆動の場合に最適な位相にて信号のクランプを行なう。以上のようにして出力した信号を水平拡大部１１により水平拡大して画角歪のない信号５９を得る。
【００２６】
図５は同じく第３の例を示す図である。図５で６０は水平同期信号、６１は水平帰線期間信号であり、６２は水平帰線期間、６３は水平有効走査期間である。６４はＣＣＤの水平転送部駆動信号であり、６５はＣＣＤ１０の水平有効転送領域の信号を転送する駆動信号、６６はＣＣＤのＯＢ部の信号を転送する駆動信号である。６７は出力信号、６８は出力信号のうちの有効領域の信号、６９はＯＢ部の信号、７０はクランプパルス、７１は水平拡大部１１により水平方向に拡大された信号である。水平同期信号６０に同期してＣＣＤ１０の水平画素の信号電荷を読み出すための水平転送部駆動信号６４によって出力信号６７が出力する。ここで水平転送部駆動信号６４の開始タイミングは水平有効走査期間６３の開始タイミング近傍からスタートしてＣＣＤ１０の水平走査有効領域の信号電荷（ＯＢ部の信号は含まない）をすべて出力するのに必要なクロック数にて終了する。そして再度水平帰線期間６１の開始タイミングからスタートしてＯＢ部の信号電荷をすべて出力するのに必要なクロック数にて終了する。出力した信号６７は水平方向に縮小画角歪をおこしているが、水平有効領域の信号の転送が終了した後転送を止め、ＯＢ部の信号の転送を水平帰線期間の開始タイミング近傍にて再スタートさせているため、ＯＢ部の信号の位相は図１１で示した従来例の位相と変わらず、従ってクランプパルス７０の位相も従来と同じままで信号をクランプできるので、スイッチ１５は従来のクランプパルス１３を選択すればよい。以上のようにして出力した信号を水平拡大部１１により水平拡大し画角歪のない信号７１を得る。
【００２７】
以上の様な３つの例のうちカメラの全体のシステムの中で最適なものを選択すればよい。
【００２８】
図６は本発明の撮像装置の第２の実施例の構成図である。図６で図９と全く同じ箇所は同一番号を添付し、説明も省略する。
【００２９】
図６において、８０は本発明に用いるＣＣＤ、８１は映像信号を水平方向に縮小する水平縮小部、８２は本発明のＣＣＤ駆動信号、８３は従来の方式のクランプパルス、８４は第２のクランプパルス、８５は従来の方式のクランプパルス８３と第２のクランプパルス８４の一方を選択するスイッチ、８６は本発明のカメラ部の駆動の基準となるカメラ部駆動クロックである。なおカメラ部駆動クロック８６はビデオ部１３０のビデオ部クロック発生部１３９にて発生させておりビデオ系の駆動クロックの周波数と同じ周波数である。ＤＶＣフォーマットの場合、１３．５ＭＨｚがこれに相当する。またＣＣＤ８０は、本カメラ部駆動クロック８６よりも高い周波数にて画角歪を生じず画像を出力できるＣＣＤ素子であり、従来の汎用ＣＣＤ素子を例にとれば、４ｆｓｃ（ｆｓｃはサブキャリア周波数）にて駆動を行う水平方向の画素数が約７６８画素のＣＣＤ素子等がこれに当たる。このＣＣＤ素子を用いて１３．５ＭＨｚで駆動した場合水平方向に拡大画角歪が発生する。
【００３０】
まずカメラ部１１０では、被写体情報を持つ入射光をレンズ１１１で集光し、絞り１１２で光量を制限してＣＣＤ１０に入射する。ＣＣＤ８０ではそれぞれ、被写体情報を持つ光学信号を電気信号に変換、アナログ信号処理部１１４にて後の処理にふさわしい形に処理した後、ＡＤ変換部１１５にてデジタル信号に変換、水平縮小部８１に入力する。水平縮小部８１は水平方向に画角を縮小するものである。
【００３１】
図７を用いて水平縮小部の処理方法についての概念を述べる。図７は画角を２／３倍に縮小する時の処理の説明図であり、８６は原信号のデーター列、８７は補間後のデーター列、８８は再サンプリング後のデーター列である。原信号８６に対してデーターの補間により見かけ上のデーター量を減少させ（８７）、それを同一クロックで再サンプリングすることによりデーターの縮小が可能になる（８８）。これを映像の水平走査に当てはめると、水平方向への画角の縮小が可能となる。水平縮小部８１を出力した信号をデジタル信号処理部１１６にてカメラ信号として適切な形に処理してビデオ部１３０に送出する。なおこれら一連の処理は、ビデオクロック発生部１３９にて発生させたカメラ部駆動クロック８６を基に同期信号発生部１１８で作成した水平同期信号１２１、ＣＣＤ駆動信号発生クロック１２２にてＣＣＤ駆動信号発生部１１９を駆動し、ＣＣＤ駆動信号８２にてＣＣＤ８０を駆動して映像信号を出力、アナログ信号処理部１１４では同様の方法にて発生するクランプパルス８３、８４のうち本ＣＣＤ１０のＯＢ部の信号と位相のあっている第２のクランプパルス８４をスイッチ８５で選択して映像信号をクランプし、またカメラ部デジタル信号処理系駆動クロック１２５にてＡＤ変換部１１５、デジタル信号処理部１１６を駆動する。
【００３２】
ビデオ部１３０の処理は図１で示した第１の実施例と同じであるので、説明を省略する。
【００３３】
次に図８を用いて本発明の第２の実施例の撮像装置に用いる駆動方法とその信号処理について述べる。
【００３４】
図８で９０は水平同期信号、９１は水平帰線期間信号であり、９２は水平帰線期間、９３は水平有効走査期間である。９４はＣＣＤの水平転送部駆動信号、９５は出力信号、９６は出力信号のうちの有効領域の信号、９７はＯＢ部の信号、９８はクランプパルス、９９は水平縮小部８１により水平方向に縮小された信号である。水平同期信号９０に同期してＣＣＤの水平画素の信号電荷を読み出すための水平転送部駆動信号９４によって出力信号９５が出力する。ここで水平転送部駆動信号９４の開始タイミングは水平有効走査期間９３の開始終了タイミング近傍からスタートし、ＣＣＤ８０の水平走査領域の信号電荷（ＯＢの信号を含む）をすべて出力するのに必要なクロック数にて終了する。出力した信号９５は水平方向に拡大画角歪をおこしており、かつ、ＯＢ部の信号９７の位相も図１１で示した従来例の位相と異なっている。従ってクランプパルス９８の位相も本駆動の場合変化させなければならないので、スイッチ８５にて第２のクランプパルス８４に切り替え、本駆動の場合に最適な位相にて信号のクランプを行なう。以上のようにして出力した信号を水平縮小部により水平縮小し画角歪のない信号９９を得る。
【００３５】
なお、本実施例において、撮像装置としてＤＶＣムービーの例を掲げたが、記録媒体に記録するデジタル信号の周波数が一義的に決定され、ＣＣＤの駆動周波数と整合しない場合であれば、ＤＶＣフォーマットに限るものでなく、他のデジタル記録方式でも同様の効果が得られる。又、記録媒体として磁気テープのみに限るものでないことは言うまでもない。
【００３６】
【発明の効果】
以上のように本発明によれば、ある固有の周波数以外の駆動信号では本来画角歪を起こしてしまうＣＣＤを別の周波数で駆動して取り扱うことができる様になり、これまでに使用されていた数多くのＣＣＤをデジタル記録対応のビデオムービーに登載する際に、ＤＡ変換後にＡＤ変換をするとか、デジタル的な周波数変換を行う等の処理が必要なくなり、ローコストで簡易なシステムのデジタル記録対応のビデオムービーを構築できる優れた撮像装置を実現でき、その効果はきわめて大なるものである。
【図面の簡単な説明】
【図１】本発明の第１の実施例における撮像装置の構成図
【図２】同、水平拡大部の処理説明図
【図３】第１の信号処理の説明図
【図４】第２の信号処理の説明図
【図５】第３の信号処理の説明図
【図６】本発明の第２の実施例における撮像装置の構成図
【図７】同、水平縮小部の処理説明図
【図８】同、信号処理の説明図
【図９】従来の撮像装置の構成図
【図１０】ＣＣＤの概略構成図
【図１１】従来の撮像装置の信号処理の説明図
【符号の説明】
１０  ＣＣＤ
１１  水平拡大部
１２  ＣＣＤ駆動信号
１３  従来の方式のクランプパルス
１４  第２のクランプパルス
１５  スイッチ
１６  カメラ部駆動クロック
８１  水平縮小部
１１４  アナログ信号処理部
１１５  第１のＡＤ変換部
１１６  デジタル信号処理部
１１８  同期信号発生部
１１９  ＣＣＤ駆動信号発生部
１３９  ビデオクロック発生部
【図１】
0003666934.tif 000002
【図２】
0003666934.tif 000003
【図３】
0003666934.tif 000004
【図４】
0003666934.tif 000005
【図５】
0003666934.tif 000006
【図６】
0003666934.tif 000007
【図７】
0003666934.tif 000008
【図８】
0003666934.tif 000009
【図９】
0003666934.tif 000010
【図１０】
0003666934.tif 000011
【図１１】
0003666934.tif 000012